(57)【要約】【課題】作業者および管理者を煩わせることなく、作業の開始と作業の終了の履歴を簡単に管理することができるシステムを提供すること。【解決手段】管理システムは、作業に関する情報が記憶されているＩＣタグ１２、１４、１６と、このＩＣタグ１２、１４、１６に記憶されている情報を読み取り可能な端末装置２０と、この端末装置２０と通信回線網４２を介して接続された管理装置５０とを備え、作業の開始と終了にあたって、端末装置２０からＩＣタグ１２、１４、１６に記憶されている情報を読み取らせると、端末装置２０は、読み取った情報を通信回線網４２を介して管理装置５０に送信し、管理装置５０は、端末装置２０から情報を受信すると、作業が開始されたことと作業が終了したことを日時に対応付けて記憶する。【選択図】図１
2011003120.tif 000002
【特許請求の範囲】
【請求項１】
作業に関する情報が記憶されているＩＣタグと、このＩＣタグに記憶されている情報を読み取り可能な端末装置と、この端末装置と通信回線網を介して接続された管理装置とを備えており、
作業の開始にあたって、端末装置からＩＣタグに記憶されている情報を読み取らせると、
端末装置は、読み取った情報を通信回線網を介して管理装置に送信し、
管理装置は、端末装置から情報を受信すると、作業が開始されたことを日時に対応付けて記憶し、
作業の終了にあたって、再度、端末装置からタグに記憶されている情報を読み取らせると、
端末装置は、再度、読み取った情報を通信回線網を介して管理装置に送信し、
管理装置は、再度、端末装置から情報を受信すると、作業が終了したことを日時に対応付けて記憶することを特徴とする管理システム。
【請求項２】
請求項１に記載の管理システムであって、
端末装置には、外部機器からの外部情報を入力可能な入力端子が備えられており、
端末装置は、入力端子から外部情報の入力を受け付けると、この受け付けた外部情報を通信回線網を介して管理装置に送信し、
管理装置は、端末装置から外部情報を受信すると、受信した外部情報を日時に対応付けて記憶することを特徴とする管理システム。
【発明の詳細な説明】
【技術分野】
【０００１】
本発明は、管理システムに関し、詳しくは、作業の開始および作業の終了の履歴を管理するシステムに関する。
【背景技術】
【０００２】
従来、製品の製造工程における作業を、いつ、誰が行ったかの履歴を管理する方法として、例えば、台帳等の書面で管理する方法が知られている。この方法では、作業の開始と作業の終了のときに、各作業者に自身の名前と日時を台帳に手書きで記入させ、その記入させた台帳を管理者が保存（例えば、パーソナルコンピュータに記憶させる）している。このように保存しておくことで、後日、製品にトラブル等が発生しても、管理者はその対処を迅速に行うことができる。
【０００３】
なお、この出願の発明に関連する先行技術文献情報としては、例えば、特許文献１が知られている。
【先行技術文献】
【特許文献】
【０００４】
【特許文献１】特開２００８−２４７４９７号公報
【発明の概要】
【発明が解決しようとする課題】
【０００５】
しかしながら、上述した従来技術では、作業の開始と作業の終了のときに、台帳を記入しなければいけないため、作業者にとって煩わしいものとなっていた。また、記入した台帳を保存しなければいけないため、管理者にとっても煩わしいものとなっていた。そのため、これらを解決することを求められていた。
【０００６】
本発明は、このような課題を解決しようとするもので、その目的は、作業者および管理者を煩わせることなく、作業の開始と作業の終了の履歴を簡単に管理することができるシステムを提供することである。
【課題を解決するための手段】
【０００７】
本発明は、上記の目的を達成するためのものであって、以下のように構成されている。
請求項１に記載の発明は、作業に関する情報が記憶されているＩＣタグと、このＩＣタグに記憶されている情報を読み取り可能な端末装置と、この端末装置と通信回線網を介して接続された管理装置とを備えており、作業の開始にあたって、端末装置からＩＣタグに記憶されている情報を読み取らせると、端末装置は、読み取った情報を通信回線網を介して管理装置に送信し、管理装置は、端末装置から情報を受信すると、作業が開始されたことを日時に対応付けて記憶し、作業の終了にあたって、再度、端末装置からタグに記憶されている情報を読み取らせると、端末装置は、再度、読み取った情報を通信回線網を介して管理装置に送信し、管理装置は、再度、端末装置から情報を受信すると、作業が終了したことを日時に対応付けて記憶することを特徴とする構成である。
この構成によれば、作業の開始と作業の終了にあたって、端末装置からＩＣタグに記憶されている情報を読み取らせると、管理装置が、その開始日時および終了日時を記憶する。そのため、作業者だけでなく管理者も煩わせることなく、作業の開始と作業の終了の履歴を簡単に管理することができる。
【０００８】
また、請求項２に記載の発明は、請求項１に記載の管理システムであって、端末装置には、外部機器からの外部情報を入力可能な入力端子が備えられており、端末装置は、入力端子から外部情報の入力を受け付けると、この受け付けた外部情報を通信回線網を介して管理装置に送信し、管理装置は、端末装置から外部情報を受信すると、受信した外部情報を日時に対応付けて記憶することを特徴とする構成である。
この構成によれば、外部機器からの外部情報も、そのときの日時に対応させて記憶させることができる。したがって、外部機器にトラブルが発生したとき、その履歴を確認することでトラブルの対処を迅速に行うことができる。
【図面の簡単な説明】
【０００９】
【図１】図１は、本発明の実施例に係る管理システムの全体構成図である。
【図２】図２は、図１の端末装置の内部構成を示すブロック図である。
【図３】図３は、図１の管理装置に記憶される内容を示す図である。
【発明を実施するための形態】
【００１０】
以下、本発明を実施するための形態を、図１〜３を用いて説明する。まず、図１を参照して、本発明の実施例に係る管理システムの全体構成を説明する。
【００１１】
２０は、端末装置である。この端末装置２０は、作業者が運搬可能なサイズ（大きさ、重さ）に構成されている。３２は、外部機器であり、例えば、材料を加工するプレス機械である。４０は、後述する携帯電話回線網４２の中継局である。この中継局４０と端末装置２０の後述する通信モジュール２８とは、無線状態で各種情報の送受信が可能である。４２は、通信回線網であり、例えば、既存の携帯電話回線網である。５０は、管理装置であり、例えば、ＣＰＵ、記憶部（ＨＤＤ、ＲＡＭ等）、モニタおよびキーボードを備えた汎用のパーソナルコンピュータである。
【００１２】
このパーソナルコンピュータ５０の記憶部には、本発明の管理システムに関するソフトウェアが記憶されており、このソフトウェアによって端末装置２０から送られてくる情報を記憶部に記憶させる動作が実行されている。なお、これら端末装置２０とプレス機械３４、中継局４０と携帯電話回線網４２、および携帯電話回線網４２とパーソナルコンピュータ５０は、有線状態でそれぞれ電気的に接続されている。
【００１３】
次に、図２を参照して、端末装置２０について詳述する。この端末装置２０は、本体２２と、後述する作業指示識別カード１２、作業識別カード１４、作業者識別カード１６にそれぞれ内蔵されたＩＣタグ（図示しない）に記憶されている情報を読み取り可能なコントローラ２４とから構成されている。
【００１４】
この本体２２の内部には、制御装置であるシーケンサ２６が備えられている。また、この本体２２の正面には、作業者が操作可能なタッチパネル３０が備えられている。また、この本体２２の向かって右側面には、通信モジュール２８が備えられている。また、この本体の向かって左側面には、例えば、プレス機械３４からの各種情報（例えば、故障に関する情報）を入力可能な入力端子３２が備えられている。
【００１５】
なお、これらシーケンサ２６とコントローラ２４、シーケンサ２６とタッチパネル３０、シーケンサ２６と通信モジュール２８およびシーケンサ２６と入力端子３２は、有線状態でそれぞれ電気的に接続されている。
【００１６】
また、作業指示識別カード１２は、複数の工程から成る作業指示が複数（この例では、第１の作業指示、第２の作業指示、第３の作業指示の計３つ）ある場合、いずれの作業指示であるかを識別するためのカードである。この実施例では、例えば、第１の作業指示は、材料取り、マシニング、塗装、組付け、引渡しの順に５つの工程の作業から構成されているものとする。そのため、この第１の作業指示に対応する第１の作業指示識別カード１２ａのＩＣタグには、これら５つの作業が順に行われるように記憶されている。
【００１７】
また、例えば、第２の作業指示は、材料取り、マシニング、引渡しの順に３つの工程の作業から構成されているものとする。そのため、この第２の作業指示に対応する第２の作業指示識別カード１２ｂのＩＣタグには、これら３つの作業が順に行われるように記憶されている。また、例えば、第３の作業指示は、材料取り、塗装、組付け、引渡しの順に４つの工程の作業から構成されているものとする。そのため、この第３の作業指示に対応する第３の作業指示識別カード１２ｃのＩＣタグには、これら４つの作業が順に行われるように記憶されている。
【００１８】
また、作業識別カード１４とは、上述した５つの工程の作業（材料取り、マシニング、塗装、組付け、引渡し）に対応付けられたカードである。そのため、第１の作業識別カード１４ａのＩＣタグには、材料取りの作業に対応付けられた情報が記憶されている。また、第２の作業識別カード１４ｂのＩＣタグには、マシニングの作業に対応付けられた情報が記憶されている。
【００１９】
また、第３の作業識別カード１４ｃのＩＣタグには、塗装の作業に対応付けられた情報が記憶されている。また、第４の作業識別カード１４ｄのＩＣタグには、組付けの作業に対応付けられた情報が記憶されている。また、第５の作業識別カード１４ｅのＩＣタグには、引渡しの作業に対応付けられた情報が記憶されている。
【００２０】
また、作業者識別カード１６とは、作業者が複数（この例では、ＡＡＡさん、ＢＢＢさん、ＣＣＣさんの計３人）いる場合、いずれの作業者であるかを識別するためのカードである。この実施例では、例えば、第１の作業者識別カード１６ａのＩＣタグには、ＡＡＡさんに対応付けられた情報が記憶されている。また、第２の作業者識別カード１６ｂのＩＣタグには、ＢＢＢさんに対応付けられた情報が記憶されている。また、第３の作業者識別カード１６ｃのＩＣタグには、ＣＣＣさんに対応付けられた情報が記憶されている。
【００２１】
続いて、図３を参照して、上述した管理システムの動作を説明する。この説明にあたって、第１の作業指示が成された場合を説明する。また、第１の作業指示の作業のうち、材料取りはＢＢＢさんが行い、マシニングはＡＡＡさんが行い、塗装はＣＣＣさんが行い、組付けはＡＡＡさんが行い、引渡しはＢＢＢさんが行う例を説明する。
【００２２】
まず、ＢＢＢさんは、材料取りの作業を行う前に、端末装置２０のコントローラ２４から、第１の作業指示識別カード１２ａのＩＣタグに記憶されている情報と、第１の作業識別カード１４ａに記憶されている情報と、第２の作業者識別カード１６ｂに記憶されている情報とを読み取らせる。その後、ＢＢＢさんは、材料取りの作業にとりかかる。
【００２３】
すると、端末装置２０は、読み取った各情報を携帯電話回線網４２を介してパーソナルコンピュータ５０に送信する。そして、パーソナルコンピュータ５０は、端末装置２０から各情報を受信すると、その作業が開始されたことを、そのときの日時（例えば、２００９年６月９日９時）に対応つけて記憶部に記憶させる。すなわち、パーソナルコンピュータ５０の記憶部には、第１の作業指示における材料取りの作業が、ＢＢＢさんによって２００９年６月９日９時に開始されたことが記憶される。
【００２４】
やがて、材料取りの作業が終了すると、ＢＢＢさんは、端末装置２０のコントローラ２４から、再度、第１の作業指示識別カード１２ａのＩＣタグに記憶されている情報を読み取らせる。
【００２５】
すると、端末装置２０は、読み取った情報を携帯電話回線網４２を介してパーソナルコンピュータ５０に送信する。そして、パーソナルコンピュータ５０は、端末装置２０から情報を受信すると、その作業が終了したことを、そのときの日時（例えば、２００９年６月９日１７時）に対応つけて記憶部に記憶させる。すなわち、パーソナルコンピュータ５０の記憶部には、第１の作業指示における材料取りの作業が、ＢＢＢさんによって２００９年６月９日１７時に終了したことが記憶される。
【００２６】
このとき、材料取りの作業を行う前に読み取らせたときと同様に、ＢＢＢさんは、端末装置２０のコントローラ２４から、第１の作業識別カード１４ａに記憶されている情報と、第２の作業者識別カード１６ｂに記憶されている情報とを読み取らせる必要がない。なぜなら、作業指示識別カード１２ａは、既に、第１の作業指示における材料取りの作業が、ＢＢＢさんによって２００９年６月９日９時に開始されたことを認識しているため、再度、重複する情報を読み取らせる必要がないからである。
【００２７】
次に、その翌日（２日目）、ＡＡＡさんは、マシニングの作業を行う前に、端末装置２０のコントローラ２４から、第１の作業指示識別カード１２ａのＩＣタグに記憶されている情報と、第２の作業識別カード１４ｂに記憶されている情報と、第１の作業者識別カード１６ａに記憶されている情報とを読み取らせる。その後、ＡＡＡさんは、マシニングの作業にとりかかる。
【００２８】
すると、端末装置２０は、読み取った各情報を携帯電話回線網４２を介してパーソナルコンピュータ５０に送信する。そして、パーソナルコンピュータ５０は、端末装置２０から各情報を受信すると、その作業が開始されたことを、そのときの日時（例えば、２００９年６月１０日９時）に対応つけて記憶部に記憶させる。すなわち、パーソナルコンピュータ５０の記憶部には、第１の作業指示におけるマシニングの作業が、ＡＡＡさんによって２００９年６月１０日９時に開始されたことが記憶される。
【００２９】
やがて、マシニングの作業が終了すると、ＡＡＡさんは、端末装置２０のコントローラ２４から、再度、第１の作業指示識別カード１２ａのＩＣタグに記憶されている情報を読み取らせる。
【００３０】
すると、端末装置２０は、読み取った情報を携帯電話回線網４２を介してパーソナルコンピュータ５０に送信する。そして、パーソナルコンピュータ５０は、端末装置２０から情報を受信すると、その作業が終了したことを、そのときの日時（例えば、２００９年６月１０日１８時）に対応つけて記憶部に記憶させる。すなわち、パーソナルコンピュータ５０の記憶部には、第１の作業指示におけるマシニングの作業が、ＡＡＡさんによって２００９年６月１０日１８時に終了したことが記憶される。
【００３１】
このとき、材料取りの作業の説明と同様に、ＡＡＡさんは、端末装置２０のコントローラ２４から、第２の作業識別カード１４ｂに記憶されている情報と、第１の作業者識別カード１６ａに記憶されている情報とを読み取らせる必要がない。なぜなら、作業指示識別カード１２ａは、既に、第１の作業指示におけるマシニングの作業が、ＡＡＡさんによって２００９年６月１０日９時に開始されたことを認識しているため、再度、重複する情報を読み取らせる必要がないからである。
【００３２】
次に、その翌日（３日目）、ＣＣＣさんは、塗装の作業を行う前に、端末装置２０のコントローラ２４から、第１の作業指示識別カード１２ａのＩＣタグに記憶されている情報と、第３の作業識別カード１４ｃに記憶されている情報と、第３の作業者識別カード１６ｃに記憶されている情報とを読み取らせる。その後、ＣＣＣさんは、塗装の作業にとりかかる。
【００３３】
すると、端末装置２０は、読み取った各情報を携帯電話回線網４２を介してパーソナルコンピュータ５０に送信する。そして、パーソナルコンピュータ５０は、端末装置２０から各情報を受信すると、その作業が開始されたことを、そのときの日時（例えば、２００９年６月１１日８時）に対応つけて記憶部に記憶させる。すなわち、パーソナルコンピュータ５０の記憶部には、第１の作業指示における塗装の作業が、ＣＣＣさんによって２００９年６月１１日８時に開始されたことが記憶される。
【００３４】
やがて、塗装の作業が終了すると、ＣＣＣさんは、端末装置２０のコントローラ２４から、再度、第１の作業指示識別カード１２ａのＩＣタグに記憶されている情報を読み取らせる。
【００３５】
すると、端末装置２０は、読み取った情報を携帯電話回線網４２を介してパーソナルコンピュータ５０に送信する。そして、パーソナルコンピュータ５０は、端末装置２０から情報を受信すると、その作業が終了したことを、そのときの日時（例えば、２００９年６月１１日１６時）に対応つけて記憶部に記憶させる。すなわち、パーソナルコンピュータ５０の記憶部には、第１の作業指示における塗装の作業が、ＣＣＣさんによって２００９年６月１１日１６時に終了したことが記憶される。
【００３６】
このとき、材料取りの作業の説明、マシニングの作業の説明と同様に、ＣＣＣさんは、端末装置２０のコントローラ２４から、第３の作業識別カード１４ｃに記憶されている情報と、第３の作業者識別カード１６ｃに記憶されている情報とを読み取らせる必要がない。なぜなら、作業指示識別カード１２ａは、既に、第１の作業指示における塗装の作業が、ＣＣＣさんによって２００９年６月１１日８時に開始されたことを認識しているため、再度、重複する情報を読み取らせる必要がないからである。
【００３７】
次に、その翌日（４日目）、ＡＡＡさんは、組付けの作業を行う前に、端末装置２０のコントローラ２４から、第１の作業指示識別カード１２ａのＩＣタグに記憶されている情報と、第４の作業識別カード１４ｄに記憶されている情報と、第１の作業者識別カード１６ａに記憶されている情報とを読み取らせる。その後、ＡＡＡさんは、組付けの作業にとりかかる。
【００３８】
すると、端末装置２０は、読み取った各情報を携帯電話回線網４２を介してパーソナルコンピュータ５０に送信する。そして、パーソナルコンピュータ５０は、端末装置２０から各情報を受信すると、その作業が開始されたことを、そのときの日時（例えば、２００９年６月１２日８時３０分）に対応つけて記憶部に記憶させる。すなわち、パーソナルコンピュータ５０の記憶部には、第１の作業指示における組付け作業が、ＡＡＡさんによって２００９年６月１２日８時３０分に開始されたことが記憶される。
【００３９】
やがて、組付けの作業が終了すると、ＡＡＡさんは、端末装置２０のコントローラ２４から、再度、第１の作業指示識別カード１２ａのＩＣタグに記憶されている情報を読み取らせる。
【００４０】
すると、端末装置２０は、読み取った情報を携帯電話回線網４２を介してパーソナルコンピュータ５０に送信する。そして、パーソナルコンピュータ５０は、端末装置２０から情報を受信すると、その作業が終了したことを、そのときの日時（例えば、２００９年６月１２日１６時）に対応つけて記憶部に記憶させる。すなわち、パーソナルコンピュータ５０の記憶部には、第１の作業指示における組付けの作業が、ＡＡＡさんによって２００９年６月１１日１６時に終了したことが記憶される。
【００４１】
このとき、材料取りの作業の説明、マシニングの作業の説明、塗装の作業の説明と同様に、ＡＡＡさんは、端末装置２０のコントローラ２４から、第４の作業識別カード１４ｄに記憶されている情報と、第１の作業者識別カード１６ａに記憶されている情報とを読み取らせる必要がない。なぜなら、作業指示識別カード１２ａは、既に、第１の作業指示における組付けの作業が、ＡＡＡさんによって２００９年６月１２日８時３０分に開始されたことを認識しているため、再度、重複する情報を読み取らせる必要がないからである。
【００４２】
最後に、その翌日（５日目）、ＢＢＢさんは、引渡しの作業を行う前に、端末装置２０のコントローラ２４から、第１の作業指示識別カード１２ａのＩＣタグに記憶されている情報と、第５の作業識別カード１４ｅに記憶されている情報と、第２の作業者識別カード１６ｂに記憶されている情報とを読み取らせる。その後、ＢＢＢさんは、引渡しの作業にとりかかる。
【００４３】
すると、端末装置２０は、読み取った各情報を携帯電話回線網４２を介してパーソナルコンピュータ５０に送信する。そして、パーソナルコンピュータ５０は、端末装置２０から各情報を受信すると、その作業が開始されたことを、そのときの日時（例えば、２００９年６月１３日９時）に対応つけて記憶部に記憶させる。すなわち、パーソナルコンピュータ５０の記憶部には、第１の作業指示における引渡し作業が、ＢＢＢさんによって２００９年６月１３日９時に開始されたことが記憶される。
【００４４】
やがて、引渡しの作業が終了すると、ＢＢＢさんは、端末装置２０のコントローラ２４から、再度、第１の作業指示識別カード１２ａのＩＣタグに記憶されている情報を読み取らせる。
【００４５】
すると、端末装置２０は、読み取った情報を携帯電話回線網４２を介してパーソナルコンピュータ５０に送信する。そして、パーソナルコンピュータ５０は、端末装置２０から情報を受信すると、その作業が終了したことを、そのときの日時（例えば、２００９年６月１３日１７時）に対応つけて記憶部に記憶させる。すなわち、パーソナルコンピュータ５０の記憶部には、第１の作業指示における引渡しの作業が、ＢＢＢさんによって２００９年６月１３日１７時に終了したことが記憶される。
【００４６】
このとき、材料取りの作業の説明、マシニングの作業の説明、塗装の作業の説明、組付けの作業の説明と同様に、ＢＢＢさんは、端末装置２０のコントローラ２４から、第５の作業識別カード１４ｅに記憶されている情報と、第２の作業者識別カード１６ｂに記憶されている情報とを読み取らせる必要がない。なぜなら、作業指示識別カード１２ａは、既に、第１の作業指示における引渡しの作業が、ＢＢＢさんによって２００９年６月１３日９時に開始されたことを認識しているため、再度、重複する情報を読み取らせる必要がないからである。第１の作業指示は、このように実行されている。
【００４７】
なお、上述した管理システムの動作の説明において、作業の順序に誤りが生じた場合を説明する。例えば、２日目、ＡＡＡさんは、マシニングの作業を行う前に、端末装置２０のコントローラ２４から、誤って、第１の作業指示識別カード１２ａのＩＣタグに記憶されている情報と、第３の作業識別カード１４ｃのＩＣタグに記憶されている情報と、第１の作業者識別カード１６ａのＩＣタグに記憶されている情報とを読み取らせた場合を説明する。
【００４８】
すなわち、２日目、ＡＡＡさんは、端末装置２０のコントローラ２４から、マシニングに対応する第２の作業識別カード１４ｂのＩＣタグに記憶されている情報ではなく、誤って、塗装に対応する第３の作業識別カード１４ｃのＩＣタグに記憶されている情報を読み取らせた場合を説明する。
【００４９】
この場合、既に説明したように、第１の作業指示識別カード１２ａのＩＣタグには、その５つの作業順序が記憶されている。そのため、上述したように、作業の順番を誤って読み取らせると、その誤りをシーケンサ２６が判断してタッチパネル３０に表示させることで、ＡＡＡさんに報知することができる。したがって、作業順序に誤りが生じることを防止できる。
【００５０】
また、上述した管理システムの動作の説明において、プレス加工の作業を行っているプレス機械３４に故障が発生すると、その故障に関する情報（例えば、油圧不足等）が入力端子３２を介して端末装置２０へ入力される。このように、端末装置２０は、入力端子３２から故障に関する情報の入力を受け付けると、この受け付けた故障に関する情報を携帯電話回線網４２を介してパーソナルコンピュータ５０へ送信する。そして、パーソナルコンピュータ５０は、端末装置２０から故障に関する情報を受信すると、受信した故障に関する情報を、そのときの日時に対応付けて記憶部に記憶させる。
【００５１】
本発明の実施例に係る管理システムは、上述したように構成されている。この構成によれば、各作業の開始と作業の終了にあたって、端末装置２０のコントローラ２４から、該当するカード１２、１４、１６のＩＣタグに記憶されている情報を読み取らせると、パーソナルコンピュータ５０が、その作業名に対応付けて、作業者名、開始日時および終了日時を記憶する。そのため、作業者だけでなく管理者も煩わせることなく、作業の開始と作業の終了の履歴を簡単に管理することができる。また、パーソナルコンピュータ５０は、携帯電話回線網４２と電気的に接続されているため、この携帯電話回線網４２と電気的に接続されている他のパーソナルコンピュータから、パーソナルコンピュータ５０に記憶した情報（作業名に対応付けた、作業者名、開始日時および終了日時）を読み込むことができる。また、この構成によれば、既存の携帯電話回線網４２を利用するため、インフラ工事を必要とすることなく、直ぐに運用可能である。
【００５２】
また、この構成によれば、プレス機械３４からの各種情報を入力可能な入力端子３２を備えているため、プレス機械３４からの各種情報も、そのときの日時に対応させて記憶させることができる。したがって、プレス機械３４にトラブルが発生したとき、その履歴を確認することでトラブルの対処を迅速に行うことができる。
【００５３】
上述した内容は、あくまでも本発明の一実施の形態に関するものであって、本発明が上記内容に限定されることを意味するものではない。
実施例では、作業の開始と作業の終了を管理する構成を例に説明した。しかし、これに限定されるものでなく、例えば、プレス機械３４の金型と、その金型で製造された製品とを管理する構成であっても構わない。その場合、プレス機械３４の金型と、その金型で製造された製品とに異なる情報を記憶させたＩＣタグをそれぞれ付与しておき、プレス成形するときに、端末装置２０のコントローラ２４からそれらのＩＣタグを読み取らせる構成となる。このことは、プレス機械３４の金型に限定されることなく、各種の機械に適用できる。
【００５４】
また、実施例では、作業に関する情報が記憶されている入力媒体の例としてＩＣタグを説明した。しかし、これに限定されるものでなく、例えば、バーコード、ＱＲコード（登録商標）等であっても構わない。
【符号の説明】
【００５５】
２０    端末装置
３４    プレス機械（外部機器）
４２    携帯電話回線網（通信回線網）
５０    パーソナルコンピュータ（管理装置）
【図１】
2011003120.tif 000003
【図２】
2011003120.tif 000004
【図３】
2011003120.tif 000005